(57)【要約】【課題】携帯無線装置と指の位置関係および保持状態での変形が、実際の使用状態に適合した擬似人体を提供する。【解決手段】手部半固体生体ファントム１０１は、半固体生体ファントム１０２および補強材１０３で構成されている。半固体生体ファントム１０２はグリセリンを主剤とし、脱イオン水、安息香酸ナトリウムを添加することにより人体の電気定数に近い媒質を容易に作製できると同時に寒天で硬化させることにより固体生体ファントムと比べ人体に近い弾力が得られる。【選択図】図１
2007212281.tif 000002
【特許請求の範囲】
【請求項１】
人体等価材料を凝固剤で固化させた半固体(ジェリー)擬似人体と少なくとも１つの補強材とを備え、前記半固体擬似人体の内部に前記補強材を挿入し強度および弾力を向上させることを特徴とする擬似人体。
【請求項２】
前記半固体擬似人体の内部に前記補強材の一部を挿入したことを特徴とする請求項１記載の擬似人体。
【請求項３】
前記補強材に少なくとも1つの接合部を備えることを特徴とする請求項２記載の疑似人体。
【発明の詳細な説明】
【技術分野】
【０００１】
本発明は、主として無線装置のアンテナ特性評価に使用する擬似人体とそれを用いた測定方法に関する。
【背景技術】
【０００２】
近年、携帯電話などの移動通信が急速に発達している。一般的に携帯電話は人体に近接して使用されるため、人体装着時の特性を精度良く評価することが重要である。これまでは、人体装着時の評価は被験者が姿勢を保持することが困難なために再現性が低下するなど、被験者による個体差が大きいため測定結果の相対比較が難しいなどの課題があるため、擬似人体を用いた評価が行われてきた（例えば、特許文献１、非特許文献１参照）。
【０００３】
図８に、特許文献１に記載された従来の擬似人体の構成例を示す。
【０００４】
図８（ａ）は、従来の擬似人体の正面図であり、図８（ｂ）はその側面図である。図８（ａ）及び（ｂ）において、従来の擬似人体である固体生体ファントム８０１は、複合誘電体８０２を成形した部分成形体８０３である頭部８０３ａ、肩部8０３ｂ、胸部８０３ｃ、腕部８０３ｄ、手首部８０３ｅと、手部８０３ｆと、関節部材８０４および設置台８０５とで構成されており、通話時に携帯電話を耳に近接して使用する姿勢を模擬している。この場合、肩、腕および手首における各関節部材により携帯電話の保持姿勢をある程度調整することが可能となっている。
【０００５】
また、グリセリンを主剤とした半固体(ジェリー)生体ファントムが存在する。この擬似人体は自立形状保持を可能にしており、従来の固体生体ファントムに用いられているセラミックと比べて、任意形状への加工が容易かつ安価に作製が可能である。さらに、グリセリンを主剤に使用した場合、これに添加する脱イオン水、塩化ナトリウム、およびポリエチレン粉の比率により高含水組織(筋肉、脳組織など)から低含水組織(脂肪、骨組織など)まで、広範囲にわたる生体組織を模擬する擬似人体が実現可能であることが非特許文献１に記載されている。
【０００６】
また、ＦＲＰ樹脂等の硬質性の容器に人体等価溶液を充填した液体ファントムは対象とする周波数が異なる場合にでも、それぞれの周波数における人体の電気的性質に応じた生理食塩水を充填するだけで同様の評価を行うことが可能となり、固形材料を用いる固体ファントムに比べてコストを削減することができる。
【特許文献１】特開２０００−０８２３３３号公報
【非特許文献１】岡野好伸著「グリセリンを主剤とするＳＡＲ評価用ファントムの開発とその応用」信学論(B)、ｖｏｌ．Ｊ８３−Ｂ、Ｎｏ．４、ｐｐ．５３４〜５４３、Ａｐｒ．２０００．
【発明の開示】
【発明が解決しようとする課題】
【０００７】
しかしながら、携帯無線装置の小型化、薄型化に伴い、通話時に指がアンテナに接触する状態やアンテナを手で覆ってしまう状態が増えてきている。さらに従来の電話機として使用されるのみならず、電子メールの送受信やＷＷＷ（ワールド・ワイド・ウェブ）によるウェブページの閲覧などを行うデータ端末機に変貌を遂げており、ディスプレイが見えるよう胸前で携帯無線装置を手で保持した姿勢（ＰＤＡ姿勢：Personal Digital Assistance）での使用頻度が増しており、携帯無線装置と指との位置関係が多種多様化しており、アンテナに指が直接接触した状況も存在する。
【０００８】
このような状況でも通信品質を確保できるように携帯無線装置と指との位置関係およびアンテナに指が直接接触した状況等を精度良く模擬した擬似人体を用いてアンテナ特性を精度良く評価する必要が生じてきている。
【０００９】
これに対し、従来の擬似人体は複合誘電体等の固形材料により構成されているため携帯無線装置を保持する際の指と携帯無線装置との密着具合を精度良く模擬することが困難であった。さらに、人体の電気的特性は周波数に応じて変化するが、これに対応するためには、固形材料の組成を周波数帯に応じて再調整し、擬似人体を作製する必要が生じるためにコストが高くなるという課題を有していた。
【００１０】
また、グリセリン等を主剤とした半固体生体ファントムは、寒天等の凝固剤により硬化させているため、携帯無線装置を保持する指を模擬した際に携帯無線装置等を握らせると重みによる指の垂れや破損が生じアンテナ特性を精度良く評価することが困難である。加えて半固体生体ファントムで全身を模擬することが困難であるという課題を有していた。
【００１１】
また、液体ファントムはＦＲＰ樹脂等の硬質性の外殻が存在するため、アンテナに指が直接接触した状況を模擬することが構造的に困難であり、携帯無線装置と指の位置関係に応じて樹脂製の外殻を作製する必要があるため、固体生体ファントム同様にコストが高くなるという課題を有していた。
【００１２】
本発明はこのような状況に鑑みてなされたもので、携帯無線装置と指の位置関係やアンテナに直接接触した状況等を忠実に模擬した半固体生体ファントムで作製した手部半固体生体ファントムに補強材を備え、指先の垂れや破損を防ぐと同時に補強材に接合部を備え、従来の擬似人体の手部と置き換えることにより、携帯無線装置を保持する指を精度良く模擬し良好なアンテナ特性を評価できる擬似人体を提供することを目的とする。
【課題を解決するための手段】
【００１３】
上記従来の課題を解決するために、本発明の擬似人体は、体等価材料を凝固剤で固化させた半固体(ジェリー)擬似人体と少なくとも１つの補強材とを備え、前記半固体擬似人体の内部に前記補強材を挿入し強度および弾力を向上させることを特徴とする。
【００１４】
本構成によって、携帯無線装置を保持する指を精度良く模擬できるとともに、擬似人体に実際の人間の保持状態に近い強度および弾力で携帯無線装置を保持させることができる。
【発明の効果】
【００１５】
本発明の擬似人体によれば、人体等価材料を凝固剤で固化させた半固体(ジェリー)の擬似人体と少なくとも１つの補強材とを備え、携帯無線装置に触れた部分が接触圧に応じて凹んだ実際の指とほぼ同じ状態を模擬することが可能となり、補強材により指先の垂れや破損を防止し、これを用いて携帯無線装置のアンテナの測定を行うことで、精度の高い評価を行うことができる。
【００１６】
また、擬似人体の型を実際に人体が携帯無線装置を保持した状態を簡易型取り材により型取る方式を用いたので、携帯無線装置と指の位置関係を精度良く模擬できる。
【００１７】
また、半固体生体ファントムとすることにより、高含水組織(筋肉、脳組織など)から低含水組織(脂肪、骨組織など)まで、広範囲にわたる生体組織を模擬する擬似人体が実現可能であり、固形材料を用いる固体ファントムに比べてコストを削減することができる。
【００１８】
また、半固体生体ファントムとすることにより、携帯無線装置に指が直接接触する擬似人体が実現可能であり、外殻を必要とする液体ファントムに比べ携帯無線装置と指の位置関係を精度良く模擬できる。
【発明を実施するための最良の形態】
【００１９】
以下、本発明の実施の形態について、図面を参照しながら説明する。
【００２０】
（実施の形態１）
図１（ａ）は、本発明の実施の形態１の擬似人体であって、携帯無線装置を右手で保持したＰＤＡ姿勢における携帯無線装置と指の位置関係を精度良く模擬した手部半固体生体ファントムの正面図であり、図1（ｂ）は同じくその側面図である。図２（ａ）は補強材１０３の正面図であり、図２（ｂ）は同じく側面図である。図1（ａ）および（ｂ）において、手部半固体生体ファントム１０１は、半固体生体ファントム１０２および補強材１０３で構成されている。半固体生体ファントム１０２はグリセリンを主剤とし、脱イオン水、安息香酸ナトリウムを添加することにより人体の電気定数に近い媒質を容易に作製できると同時に寒天で硬化させることにより固体生体ファントムと比べ人体に近い弾力が得られる。
【００２１】
このような構成の手部半固体生体ファントム１０１を、図３（ａ）に示すように携帯無線装置３０１のアンテナ３０４に人差し指を直接接触させる場合を考える。ここで、図３（ｂ）は実際に人差し指がアンテナに接触した状態を示している。
【００２２】
補強材１０３は、補強材１０３ａ、接合部１０３ｂ、補強材１０３ｃ、補強材１０３ｄ、補強材１０４ｅ、ネジ部１０３ｆで構成されており、材質はＡＢＳ樹脂、ポリプロピレン、アクリル等の電磁界を乱し難い材料で構成されている。
【００２３】
手部半固体生体ファントム１０１の作製方法は、手部の型を実際に携帯無線装置３０１を保持した状態で型取る方式を用いる。以下に詳細な作製方法を記す。まず、携帯無線装置３０１を保持した状態で液化した速乾性型取り材に携帯無線装置３０１ごと手首まで挿入する。
【００２４】
硬化後、携帯無線装置３０１を中に残して手のみ引き抜き雌型Ａを作製する。つぎに雌型Ａに石膏を流し込み雄型Ａを作製する。
【００２５】
つぎに、雄型Ａの手の甲側を粘土に埋め込み、その周囲をケースで囲む。そこにシリコン樹脂を流し込み雌型Ｂ上部を作製する。つぎに、雌型Ｂ上部に雄型をはめ込んだ状態で周囲をケースで囲みシリコン樹脂を流し込む。さらに、作製した雌型Ｂ下部の端末部分を切り離す。
【００２６】
このように、雌型Ｂを３つのパーツで構成することで、手部半固体生体ファントム１０１を型から取り出す際の破損を防止することができる上、雌型Ｂが再利用可能となる。
【００２７】
つぎに、雄型Ｂ内に補強材１０２を固定した後、調合した半固体生体ファントム材料を雄型Ｂに流し込み硬化した後に取り出す。補強材１０２は補強材１０３ａ、補強材１０３ｃおよび補強材１０３ｄをネジ部１０３ｆで一体化させた後に固定し、細長いアクリルに熱を加え雌型Ｂ上部および雌型Ｂ下部に接しないように曲げ、手部半固体生体ファントム１０１の中に補強材ｄ１０３ｅが配置されるよう作製する。従来の固体ファントムあるいはＦＲＰ樹脂等の硬質性の容器を用いた液体ファントムの場合にはアンテナとの接触はごく一部分に限られてしまい、図３（ｂ）に示すような実際の親指がアンテナに触れる状態を忠実に模擬することが困難であった。
【００２８】
また、グリセリン等を主剤とした半固体生体ファントムは、寒天等の凝固剤により硬化させているため、携帯無線装置を保持する指を模擬した際に携帯無線装置等を握らせると重みによる指先の垂れや破損が生じアンテナ特性を精度良く評価することが困難である。これに対して携帯無線装置３０１と接する部分が半固体生体ファントムからなる手部半固体生体ファントム１０１を用いた場合には、携帯無線装置３０１に触れた部分が接触圧に応じて凹んだ実際の指とほぼ同じ状態を模擬することが可能となり、補強材１０３により指先の垂れや破損を防止し精度の高い評価を行うことが期待できる。
【００２９】
なお、本実施の形態では人体等価材料としてグリセリンを主剤とし、脱イオン水および安息香酸ナトリウムを添加する場合について説明したがこれに限定されるものではなく、例えば生理食塩水と凝固剤を用いてもほぼ同等の評価を行うことができる。
【００３０】
なお、本実施の形態では凝固剤として寒天を用いる場合について説明したがこれに限定されるものではなく、例えばゼラチンを用いてもほぼ同等の評価を行うことができる。
【００３１】
なお、本実施の形態では凝固剤として寒天を用いる場合について説明したがこれに限定されるものではなく、例えばカラギーナン、ローカストビーンガムおよびカリウムを用いてもほぼ同等の評価を行うことができる。この場合、寒天に比べ強い弾性力が得られるため、さらに実際の人体の指先に近い状態を模擬することが可能となり、精度の高い評価を行うことが期待できる。
【００３２】
なお、本実施の形態では携帯無線装置３０１を右手で保持したＰＤＡ姿勢の場合を示しているが、これに限定されるものではなく、例えば左手に保持した場合や両手で携帯無線装置３０１を保持した場合でも可能となることはもちろんのことである。
【００３３】
なお、本実施の形態ではＰＤＡ姿勢の場合を示しているが、これに限定されるものではなく、例えば通話姿勢やカメラ撮影姿勢等のあらゆる保持姿勢の場合でも可能となることはもちろんのことである。
【００３４】
なお、本実施の形態では補強剤１０３が補強材１０３a、接合部１０３ｂ、補強材１０３c、補強材１０３ｄ、補強材１０４ｅ、ネジ部１０３ｆで構成される場合を示しているが、これに限定されるものではなく、例えば補強材１０３ａ〜１０３ｅは一体であってもほぼ同等の評価を行うことができる。
【００３５】
なお、本実施の形態では補強剤１０３ａ〜１０３ｅにおいて、補強材１０３aと補強材１０３ｃ、補強材１０３ｃと補強材１０３ｄ、補強材１０３ｄと補強材１０４ｅがネジ部１０３ｆで接合された場合を示しているが、これに限定されるものではなく、例えば接着してもほぼ同等の評価を行うことができる。
【００３６】
なお、本実施の形態では疑似人体は手部までとしたが、これに限定されるものではなく、少なくとも本実施例で示した構成要素を含んでいれば全身立位モデルあるいは全身座位モデルであっても同等の効果が期待できる。
【００３７】
なお、本実施の形態では手部半固体生体ファントム１０１の全ての指に補強材１０３ｄを備えたが、これに限定されるものではなく、例えば指に補強材１０３ｄを備えない場合や少なくとも１つの指に補強材１０３ｄを備えた場合でも可能となることはもちろんのことである。
【００３８】
なお、本実施の形態では、折り畳み可能な携帯無線装置の場合について説明したが、他の構成の携帯無線装置でも行える。例えば、ストレートタイプの携帯無線装置や回転機構を備えた携帯無線装置で行えることはもちろんのことである。
【００３９】
（実施の形態２）
図４は、本発明の実施の形態２の手部半固体生体ファントム１０１を、図５に示すＰＤＡ姿勢擬似人体５０１の右手先部５０６と置き換えた擬似人体を用いたアンテナ測定装置全体の構成の一例を示したものであり、４０１は電波暗室、４０２は被測定アンテナ部、４０３はターンテーブル、４０４はモータ、４０５は受信アンテナ、４０６は受信機、４０７はＣＰＵ、４０８は回転制御部、４０９は表示部である。電波暗室４０１の床上に配置されたターンテーブル４０３上にＰＤＡ姿勢擬似人体１０１の台座を固定しており、この場合、モータ４０４によりターンテーブル４０３が回転可能となるよう回転制御部４０８により制御されている。
【００４０】
ＰＤＡ姿勢擬似人体５０１は、頭部５０２、胴体部５０３、右肩部５０４、右腕部５０５、右手先部５０６、左肩部５０７および台座５０８で構成されている。頭部５０２、胴体部５０３、右肩部５０４、右腕部５０５、右手先部５０６および左肩部５０７はその表面が厚さ２〜８ｍｍの樹脂（例えばＦＲＰ：Ｆｉｂｅｒ  Ｒｅｉｎｆｏｒｃｅｄ  Ｐｌａｓｔｉｃｓ）で形成されており、それぞれの内部には人体等価材料として人体の電気定数に近い媒質（例えば生理食塩水）が充填されている。
【００４１】
頭部５０２と胴体部５０３は一体形成されており、左肩部５０７は胴体部５０３と接続されており、胴体部５０３は台座５０８上に備えられている。また、胴体部５０３と右肩部５０４は、肩部スライド機構であるスライド部５０３ａおよび５０４ｂを介して上下に移動可能となるようネジ部５１０で固定されており、右肩部５０４と右腕部５０５は、腕部スライド機構であるスライド部５０４ｃおよび５０５ｂを介して奥行き方向に移動可能となるようネジ部５０９固定されており、右腕部５０５と右手先部５０６は、手先部回転機構であるネジ受部５０５ｃにおいて擬似人体の仰角方向に対して回転可能となるよう固定されている。この場合、右手先部５０６は携帯無線装置３０１を保持した状態となっている。以上のような構成により、ＰＤＡ姿勢を忠実に模擬することが可能となり、また各部位をスライドや回転させることにより携帯無線装置３０１の擬似人体との相対位置関係を変えることができ、精度の高い評価を行うことができる。
【００４２】
手部半固体生体ファントム１０１をＰＤＡ姿勢擬似人体５０１の右手先部５０６と置き換える方法は、ＰＤＡ姿勢擬似人体５０１の右手先部５０６を取り外しネジ受部５０５ｃと補強材１０３ａの接合部１０３ｂをネジ止めする。接合部１０３ｂは手部半固体生体ファントム１０１の仰角方向に対して回転できるようにネジ穴とせず貫通口とする。また、ＰＤＡ姿勢擬似人体５０１の手部を手部半固体生体ファントム１０１に置き換えた擬似人体６０１、携帯無線装置３０１およびターンテーブル４０３とで被測定アンテナ部４０２が構成され、電波暗室４０１内部であって被測定アンテナ部４０２と対向する位置に受信アンテナ４０５が配置されている。測定の際にはターンテーブル４０３が回転しつつ携帯無線装置から電波が放射され、放射された電波は受信アンテナ４０５で受信され、受信機４０６を介してＣＰＵ４０７に入力され、ここで演算処理される。
【００４３】
また、ＣＰＵ４０７により測定開始および測定終了等の制御信号が回転制御部４０８に入力されるとともに、測定結果が表示部４０９に表示される。この場合、ＰＤＡ姿勢擬似人体５０１の手部を手部半固体生体ファントム１０１に置き換えた擬似人体６０１の手先部に装着された携帯無線装置３０１とＰＤＡ姿勢擬似人体５０１の胴体部との距離と、ＰＤＡ姿勢擬似人体５０１の手部を手部半固体生体ファントム１０１に置き換えた擬似人体の仰角方向に対する携帯無線装置３０１の角度が一定値となるように調整されている。
【００４４】
このように、ＰＤＡ姿勢擬似人体と携帯無線装置との距離あるいは角度をパラメータとして携帯無線装置に備えられたアンテナの放射特性あるいはインピーダンス特性を測定することにより、人体の携帯無線装置への影響を精度良く評価することが可能となる。この場合、放射特性とは任意のカット面に対する指向性電力利得特性を意味しているがこれに限定されるものではなく、指向性電力利得特性から算出される放射効率、実効利得等あるいはダイバーシチアンテナ利得、位相情報を含む複素指向性利得特性、相関係数等も含まれていることは言うまでもない。
【００４５】
図６に具体的な測定結果を示す。図６（ａ）はＰＤＡ姿勢擬似人体５０１の手部を手部半固体生体ファントム１０１に置き換えた擬似人体６０１と端末モデル６０２との位置関係および座標系を示す図であり、図６（ｂ）は端末モデルの斜視図を示す図であり、図６（ｃ）は手部半固体生体ファントム１０１で端末モデル６０２を保持した状態でｄを２５ｃｍとした場合に、図４のアンテナ測定装置を用いて測定した水平面内指向性の測定結果を示す図であり、（表１）は各測定結果より算出したパターン平均化利得（ＰＡＧ）である。この場合、測定周波数は９００ＭＨｚである。
【００４６】
【表１】
2007212281.tif 000003
【００４７】
端末モデル６０２は、折り畳み型携帯無線装置を想定しており、長さ９ｃｍ、幅４ｃｍ、厚さ１．５ｃｍの直方体である上側金属筐体６０３、長さ９ｃｍ、幅４ｃｍ、厚さ０．５ｃｍの直方体である下側金属筐体６０４とヘリカルアンテナ６０５とで構成されている。ヘリカルアンテナ６０５は下側金属筐体６０４の上端部に長手方向に沿って配置されており、直径が０．７ｃｍ、巻き数５回、高さが３ｃｍであって接続部にある給電点６０６から給電されている。
【００４８】
また、給電点６０６と擬似人体６０１の胴体部とのＸ方向の距離をｄとし、Ｘ軸からＺ軸方向への仰角がこの場合４０°となるように端末モデル６０２を手部半固体生体ファントム１０１に装着した。
【００４９】
図６（ｃ）より、ＰＤＡ姿勢擬似人体５０１およびＰＤＡ姿勢擬似人体５０１の手部を手部半固体生体ファントム１０１に置き換えた擬似人体６０１の放射指向性のヌルが人体と良く一致している。加えて、ＰＤＡ姿勢擬似人体５０１は人体とのＰＡＧの差が約9ｄＢと大きくなっているのに対し、ＰＤＡ姿勢擬似人体５０１の手部を手部半固体生体ファントム１０１に置き換えた擬似人体６０１の場合には人体とのＰＡＧの差は０．３ｄＢに収まった。このことから、従来の擬似人体では模擬できていなかった携帯無線装置３０１のアンテナ３０４に人差し指が直接接触した状態を忠実に模擬した手部半固体生体ファントム１０１を用いることにより、様々な実使用状態において人体を含めた放射特性を高精度に再現性良く評価することが可能となる。
【００５０】
（実施の形態３）
図７（ａ）は本発明の実施の形態３の擬似人体であって、携帯無線装置を右手で保持したＰＤＡ姿勢における携帯無線装置と指の位置関係を精度良く模擬した手部半固体生体ファントムの正面図であり、図７（ｂ）は同じくその側面図である。
【００５１】
図７（ａ）と（ｂ）において、手部半固体生体ファントムｂ７０１は、半固体生体ファントムｂ７０２、補強材１０３ａ、接合部１０３ｂ、補強材１０３ｃ、ネジ部１０３ｆおよび補強材７０３で構成されている。半固体生体ファントムｂ７０２はグリセリンを主剤とし、脱イオン水、安息香酸ナトリウムを添加することにより人体の電気定数に近い媒質を容易に作製できると同時に寒天で固化させることにより固体生体ファントムと比べて人体に近い弾力が得られる。補強材１０３ａ、接合部１０３ｂ、補強材１０３ｃ、ネジ部１０３ｆおよび補強材７０３の材質はＡＢＳ樹脂、ポリプロピレン、アクリル等の電磁界を乱し難い材料で構成されている。
【００５２】
手部半固体生体ファントムｂ７０１の作製方法は、まず、携帯無線装置３０１を保持した状態で液化した速乾性型取り材に携帯無線装置３０１ごと手首まで挿入する。硬化後、携帯無線装置３０１を中に残して手のみ引き抜き雌型Ａを作製する。つぎに雌型Ａに石膏を流し込んで雄型Ａを作製する。
【００５３】
つぎに、雄型Ａの手の甲側を粘土に埋め込み、その周囲をケースで囲む。そこにシリコン樹脂を流し込み雌型Ｂ上部を作製する。つぎに、雌型Ｂ上部に雄型をはめ込んだ状態で周囲をケースで囲みシリコン樹脂を流し込む。さらに、作製した雌型Ｂ下部の端末部分を切り離す。このように、雌型Ｂを３つのパーツで構成することで、手部半固体生体ファントムｂ７０１を型から取り出す際の破損を防止することができる上、雌型Ｂが再利用可能となる。つぎに雄型Ａから補強材７０３を備えたい部位を削りとり雄型Ｂを作製する。雌型Ｂ上部に雄型Ｂを嵌め込み補強材を備えたい部位の雌型Ｂ上部と雄型Ｂの隙間に、時間経過と共に硬化する液状のプラスティックを流し込み硬化させる。雄型Ｂ内に補強材１０３ａと補強材１０３ｃ、補強材１０３ｃと補強材７０３をネジ止めした後に固定し、調合した半固体生体ファントム材料を雄型Ｂに流し込み硬化した後に取り出す。
【００５４】
従来の固体ファントムあるいはＦＲＰ樹脂等の硬質性の容器を用いた液体ファントムの場合にはアンテナとの接触はごく一部分に限られてしまい、図３（ｂ）に示すような実際の親指がアンテナに触れる状態を忠実に模擬することが困難であった。また、グリセリン等を主剤とした半固体生体ファントムは、寒天等の凝固剤により硬化させているため、携帯無線装置を保持する指を模擬した際に携帯無線装置等を握らせると重みによる指先の垂れや破損が生じアンテナ特性を精度良く評価することが困難である。これに対して携帯無線装置３０１と接する部分が半固体生体ファントムｂ７０２からなる手部半固体生体ファントムｂ７０１を用いた場合には、携帯無線装置３０１に触れた部分が接触圧に応じて凹んだ実際の指とほぼ同じ状態を模擬することが可能となり、補強材により指先の垂れや破損を防止し精度の高い評価を行うことが期待できる。
【００５５】
なお、本実施の形態では補強材７０３を雌型Ｂ上部と雄型Ｂの隙間に液状のプラスティックを流し込み硬化させる方法により作製したが、これに限定されるものではなく、例えば雌型Ｂ上部の補強材を備えたい部位に液状のプラスティックを流し込む方法でも可能となることはもちろんのことである。
【００５６】
なお、本実施の形態では補強材７０３を雌型Ｂ上部と雄型Ｂの隙間に液状のプラスティックを流し込み硬化させる方法により作製したが、これに限定されるものではなく、例えば塩化ビニル板に熱を加え擬似人体に押し当てる方法でも可能となることはもちろんのことである。
【００５７】
なお、本実施の形態では補強材１０３と補強材７０３をネジ止めしたが、これに限定されるものではなく、補強材１０３と補強材７０３が独立していてもほぼ同等の評価を行うことができる。
【００５８】
なお、本実施の形態では補強材７０３は半固体生体ファントムｂ７０２の一部に備えたが、これに限定されるものではなく、例えば半固体生体ファントムの全体を覆った場合でも可能となることはもちろんのことである。この場合、携帯無線装置３０１と接する部位の補強材の材料をゴム等の弾性材料を用いた場合には携帯無線装置３０１に触れた部分が接触圧に応じて凹むため、実際の指とほぼ同じ状態を模擬することが可能となり、精度の高い評価を行うことが期待できる。
【００５９】
なお、実施の形態１から３は、それぞれを組み合わせが可能であることは当然のことである。
【産業上の利用可能性】
【００６０】
本発明にかかる擬似人体はたように、携帯無線装置に指が直接接触する擬似人体が実現可能であり、携帯無線装置のアンテナ測定用に有用である。
【図面の簡単な説明】
【００６１】
【図１】（ａ）実施の形態１の擬似人体の正面図（ｂ）実施の形態１の擬似人体の側面図
【図２】（ａ）実施の形態１の擬似人体の補強材の正面図（ｂ）実施の形態１の擬似人体の補強材の側面図
【図３】（ａ）携帯無線装置のＰＤＡ姿勢での使用状態説明図（ｂ）携帯無線装置のアンテナに指が接触した状態の説明図
【図４】実施の形態２の擬似人体を用いたアンテナ測定装置の構成図
【図５】（ａ）実施の形態２の擬似人体の正面図（ｂ）実施の形態２の擬似人体の側面図（ｃ）実施の形態２の擬似人体の上面図
【図６】（ａ）図４のアンテナ測定装置における擬似人体と携帯無線装置の配置図（ｂ）図４のアンテナ測定装置における携帯モデルの構成図（ｃ）図４のアンテナ測定装置による放射特性図
【図７】（ａ）実施の形態３の擬似人体の正面図（ｂ）実施の形態３の擬似人体の側面図
【図８】（ａ）従来の擬似人体の正面図（ｂ）従来の擬似人体の側面図
【符号の説明】
【００６２】
１０１    手部ファントム
１０２    半固体生体ファントム
１０３    補強材
１０３ａ，１０３ｃ，１０３ｄ，１０３ｅ    補強材
１０３ｂ    接合部
１０３ｆ    ネジ部
３０１    携帯無線装置
３０２    上側筐体
３０３    下側筐体
３０４    アンテナ
３０５    ディスプレイ
４０１    電波暗室
４０２    被測定アンテナ部
４０３    ターンテーブル
４０４    モータ
４０５    受信アンテナ
４０６    受信機
４０７    ＣＰＵ
４０８    回転制御部
４０９    表示部
【図１】
2007212281.tif 000004
【図２】
2007212281.tif 000005
【図３】
2007212281.tif 000006
【図４】
2007212281.tif 000007
【図５】
2007212281.tif 000008
【図６】
2007212281.tif 000009
【図７】
2007212281.tif 000010
【図８】
2007212281.tif 000011